(57)【特許請求の範囲】
【請求項１】
電気部品に接続されている電線と、
前記電線が引き出される開口が設けられている１つの面である取付面を有し、前記電気部品を収容する筐体と、
前記電線が通される配線孔が設けられており、前記取付面に着脱可能に取り付けられて前記開口を覆うカバー部品と、
前記カバー部品の内部にて前記電線を固定する固定部品と、
を備え、
前記カバー部品が前記筐体から取り外された状態にて、前記固定部品によって前記電線が押さえ付けられている位置を中心に前記カバー部品を回転させてから前記カバー部品が固定されることによって、前記開口から引き出された前記電線の向きを２以上の異なる向きに変化させて前記カバー部品が取り付け可能であることを特徴とする電力変換装置。
【請求項２】
前記カバー部品は、前記取付面と接する側が開放されている箱体であることを特徴とする請求項１に記載の電力変換装置。
【請求項３】
前記固定部品と前記電気部品との間における前記電線の長さは、前記固定部品の位置と前記電気部品の位置との距離よりも長いことを特徴とする請求項１または２に記載の電力変換装置。
【請求項４】
前記固定部品は、前記カバー部品の内部にて固定されている部分から前記開口を通じて前記筐体の内部へ立てられた部分である壁部と、前記壁部から折り曲げられ伸ばされた部分であって前記筐体の内面と向かい合わせられた部分である曲げ部とを有することを特徴とする請求項１から３のいずれか１つに記載の電力変換装置。
【請求項５】
前記電線が固定されている位置を中心に前記カバー部品を回転させた場合に前記曲げ部が到達可能な位置に設けられている回転止めを備えることを特徴とする請求項４に記載の電力変換装置。
【請求項６】
前記曲げ部には、前記回転止めの形状に合わせて切り欠かれた形状を呈する切り欠きが設けられていることを特徴とする請求項５に記載の電力変換装置。
【請求項７】
前記曲げ部が前記回転止めに到達するまで前記カバー部品を回転させることに伴って前記カバー部品を前記筐体へ引き寄せるための突起部を備えることを特徴とする請求項５または６に記載の電力変換装置。
【請求項８】
前記筐体の内部から前記開口を通されて前記カバー部品の内部につながれており前記カバー部品を前記筐体へ引き寄せる弾性体を有することを特徴とする請求項１から３のいずれか１つに記載の電力変換装置。
【請求項９】
前記電線のうち前記固定部品によって固定されている部分よりも前記電気部品の側の部分の長さが、ループをなすことが可能な長さであることを特徴とする請求項１から８のいずれか１つに記載の電力変換装置。
【請求項１０】
前記電線のうち前記固定部品によって固定されている部分よりも前記電気部品の側の部分の長さは、前記電線に設定されている許容曲げ半径よりも大きいループをなすことが可能な長さであることを特徴とする請求項９に記載の電力変換装置。
【発明の詳細な説明】
【技術分野】
【０００１】
本発明は、筐体内から引き出された電線を介して電力の受け渡しを行う電力変換装置に関する。
【背景技術】
【０００２】
蓄電池が搭載されている電気自動車などの外部機器に接続されて、商用電源から蓄電池への充電の際における電力変換と、蓄電池から住宅内への給電の際における電力変換とを行う電力変換装置が知られている。電力変換装置の筐体内から引き出された電線の端には、外部機器への接続のためのコネクタが設けられている。電線の端に設けられているコネクタが外部機器側のコネクタへ嵌め込まれることによって、電力変換装置は、外部機器との間における電力の受け渡しが可能となる。【０００３】
特許文献１には、正面、背面、右側面、左側面および天井面の各パネルからなる筐体のうち右側面パネルから引き出された充電ケーブルを有する充電器が開示されている。特許文献１に開示されている充電器において、電力の受け渡しを行うための電線である充電ケーブルは、右側面パネルのうちの天井面側の位置から、右側面に垂直な方向へ引き出されている。
【先行技術文献】
【特許文献】
【０００４】
【特許文献１】特開２０１８−５０３８０号公報
【発明の概要】
【発明が解決しようとする課題】
【０００５】
電力変換装置においても、特許文献１に開示されている充電器と同様に、電線が設けられることがある。ここで、電力変換装置のうちの筐体の右側面から、右側面に垂直な方向へ電線が引き出されているとする。電力変換装置の設置場所の右側に建造物の壁あるいは設置物といった障害物がある場合には、右側面に垂直な方向へ引き出されている電線について、障害物を避けるための引き回しが必要となる。また、電力変換装置の設置場所よりも左側に外部機器側のコネクタがある場合には、右側面に垂直な方向へ引き出されている電線について、設置場所の左側へ向かわせるための引き回しが必要となる。このように、筐体から電線が引き出されている方向以外へ電線を向かわせるためには、電線の引き回しのための作業が必要となることから、電線を接続する際の作業負担が大きくなる。また、電線には、筐体の外での引き回しのための余剰長さが必要となる。このように、特許文献１の構成と同様に電線が設けられている従来の電力変換装置では、外部機器へ電線を接続する際の作業負担が大きくなる場合があり、かつ引き回しのために長い電線が必要であるという問題があった。【０００６】
本発明は、上記に鑑みてなされたものであって、外部機器への電線の接続の際における作業負担の低減を可能とし、かつ筐体の外に引き出される電線の長さを短くすることを可能とする電力変換装置を得ることを目的とする。
【課題を解決するための手段】
【０００７】
上述した課題を解決し、目的を達成するために、本発明にかかる電力変換装置は、電気部品に接続されている電線と、電線が引き出される開口が設けられている１つの面である取付面を有し、電気部品を収容する筐体と、電線が通される配線孔が設けられており、取付面に着脱可能に取り付けられて開口を覆うカバー部品と、カバー部品の内部にて電線を固定する固定部品と、を備える。カバー部品が筐体から取り外された状態にて、固定部品によって電線が押さえ付けられている位置を中心にカバー部品を回転させてからカバー部品が固定されることによって、開口から引き出された電線の向きを２以上の異なる向きに変化させてカバー部品が取り付け可能である。
【発明の効果】
【０００８】
本発明にかかる電力変換装置は、外部機器への電線の接続の際における作業負担の低減を可能とし、かつ筐体の外に引き出される電線の長さを短くすることが可能となるという効果を奏する。
【図面の簡単な説明】
【０００９】
【図１】本発明の実施の形態１にかかる電力変換装置が有する電線引き出し構造を示す平面図
【図２】図１に示すII−II線における断面を示す図
【図３】実施の形態１にかかる電力変換装置を示す第１の斜視図
【図４】実施の形態１にかかる電力変換装置を示す第２の斜視図
【図５】実施の形態１にかかる電力変換装置が有する電線引き出し構造を示す分解図
【図６】本発明の実施の形態２にかかる電力変換装置が有する電線引き出し構造を示す平面図
【図７】図６に示すVII−VII線における断面を示す図
【図８】図７に示すVIII−VIII線における断面を示す図
【図９】本発明の実施の形態３にかかる電力変換装置が有する電線引き出し構造を示す平面図
【図１０】図９に示すX−X線における断面を示す図
【図１１】図１０に示すXI−XI線における断面を示す図
【図１２】本発明の実施の形態４にかかる電力変換装置が有する電線引き出し構造を示す平面図
【図１３】図１２に示すXIII−XIII線における断面を示す図
【図１４】図１３に示すXIV−XIV線における断面を示す図
【図１５】本発明の実施の形態５にかかる電力変換装置のうち電力引き出し構造が設けられている部分を示す断面図
【図１６】本発明の実施の形態６にかかる電力変換装置のうち電力引き出し構造が設けられている部分を示す断面図
【発明を実施するための形態】
【００１０】
以下に、本発明の実施の形態にかかる電力変換装置を図面に基づいて詳細に説明する。なお、この実施の形態によりこの発明が限定されるものではない。
【００１１】
実施の形態１．
図１は、本発明の実施の形態１にかかる電力変換装置が有する電線引き出し構造を示す平面図である。図２は、図１に示すII−II線における断面を示す図である。図３は、実施の形態１にかかる電力変換装置を示す第１の斜視図である。図４は、実施の形態１にかかる電力変換装置を示す第２の斜視図である。図５は、実施の形態１にかかる電力変換装置が有する電線引き出し構造を示す分解図である。
【００１２】
電力変換装置１は、蓄電池が搭載されている外部機器に接続されて、商用電源から蓄電池への充電の際における交流から直流への電力変換と、蓄電池から宅内負荷への給電の際における直流から交流への電力変換とを行う。外部機器は、電気自動車などである。宅内負荷は、家電機器などである。
【００１３】
電力変換装置１は、前記交流から直流への電力交換と前記直流から交流への電力交換とを行う電気部品を収容する筐体１０と、筐体１０の外部に着脱可能に取り付けられるカバー部品４０とを有する。筐体１０は、直方体形状を呈する箱体である。筐体１０を構成する１つの取付面１１には、電線２０が引き出される開口１２が設けられている。電線２０のうちの一方の端は、筐体１０内の電気部品に接続されている。電線２０のうちの他方の端には、外部機器との接続のためのコネクタ２２が設けられている。図１には、筐体１０のうち開口１２が設けられている部分を筐体１０の内部から見た様子を示している。開口１２は、円形を呈している。
【００１４】
カバー部品４０は、筐体１０の外部に取り付けられることによって開口１２を覆う。カバー部品４０は、直方体形状のうち筐体１０と接する側が開放されている箱体である。カバー部品４０のうち開放されている側の端には、フランジ４３が設けられている。フランジ４３は、筐体１０にカバー部品４０が取り付けられている状態において取付面１１に接触する。
【００１５】
フランジ４３の４隅の各々には、ねじ７０が通される孔４４が設けられている。孔４４の位置は、正方形の４つの角に相当する位置に配置されている。孔４４を通されたねじ７０が筐体１０へ締め込まれることによって、カバー部品４０は筐体１０に固定される。筐体１０にカバー部品４０が固定されることによって、開口１２の全体がカバー部品４０によって覆われる。また、筐体１０にカバー部品４０が固定されている状態においてねじ７０が緩められることによって、カバー部品４０は筐体１０から取り外される。
【００１６】
カバー部品４０には、電線２０が通される配線孔４１が設けられている。配線孔４１は、カバー部品４０のうち１つの面４５に設けられている。面４５は、カバー部品４０のうち取付面１１に垂直な面の１つである。電線２０は、配線孔４１を通されることによって、カバー部品４０の内部から取付面１１に平行な方向へ引き出されている。
【００１７】
配線孔４１には、配線孔４１の外縁と電線２０との間を埋めるブッシュ５０が取り付けられている。ブッシュ５０が設けられることによって、配線孔４１の外縁と電線２０との接触による電線２０の損傷が防がれる。また、ブッシュ５０が設けられることによって、カバー部品４０の内部への水および塵埃といった異物の侵入が防がれる。
【００１８】
カバー部品４０のうち開口１２と対向する内面には、台座４２が設けられている。台座４２は、折り曲げを有する板材である。台座４２は、カバー部品４０の内面に接合されることによって、カバー部品４０と一体とされている。
【００１９】
台座４２には、押さえ板３０が取り付けられている。押さえ板３０は、カバー部品４０の内部にて電線２０を固定する固定部品である。台座４２のうち押さえ板３０が取り付けられる部分は、台座４２のうちカバー部品４０の内面に接合されている部分よりも筐体１０側へ突出している部分である。押さえ板３０は、電線２０が入り込み可能に湾曲した部分を有する板ばねである。カバー部品４０と台座４２と押さえ板３０とは、筐体１０から電線２０が引き出された部分に設けられている電線引き出し構造を構成する。
【００２０】
押さえ板３０には、ねじ６０が通される孔３１が設けられている。押さえ板３０に電線２０が入り込んだ状態とされ、かつ孔３１を通されたねじ６０が台座４２へ締め込まれることによって、押さえ板３０は、台座４２へ電線２０を押さえ付けた状態で台座４２へ固定される。台座４２に押さえ板３０が固定されることによって、電線２０は、カバー部品４０の内部に留め付けられている。
【００２１】
電線２０の内部では、複数の電線２１が互いに束ねられている。複数の電線２１には、外部機器との電力の受け渡しのための線である電源線と、外部機器との通信のための線である信号線とが含まれている。電線２１の各々には、被覆が施されている。また、電線２０は、電線２１の束を覆う外装である外部被覆を有する。電線２０のうち押さえ板３０によって押さえ付けられている位置よりも電気部品の側において電線２０の外部被覆が取り除かれており、電線２１の束は解かれている。複数の電線２１の各々は、筐体１０の内部にある電気部品に接続されている。なお、図１および図２では、各電線２１に黒塗りを施している。
【００２２】
筐体１０にカバー部品４０が固定されている状態から全てのねじ７０が緩められることによって、カバー部品４０は、筐体１０から取り外される。電線２０がカバー部品４０に固定されているため、カバー部品４０が筐体１０から取り外された状態においても、カバー部品４０は、電線２０，２１を介して筐体１０内の構成要素とつながれている。カバー部品４０が筐体１０から取り外された状態において、押さえ板３０によって電線２０が押さえ付けられている位置を中心にカバー部品４０を回転させると、カバー部品４０から引き出されている電線２０の向きを変えることができる。カバー部品４０は、電線２０の向きを変えられるように、２以上の異なる向きで取り付け可能である。
【００２３】
図３に示す状態において、カバー部品４０のうち配線孔４１が設けられている面４５は、取付面１１に対向する位置から見て左へ向けられている。電線２０は、カバー部品４０から左の方向へ引き出されている。図３に示す状態において全てのねじ７０が緩められて、カバー部品４０が取付面１１から取り外されると、筐体１０内の電気部品に接続されている各電線２１を伸ばすことが可能な限度において、カバー部品４０を動かすことができる。カバー部品４０は、全てのねじ７０が緩められることによって、回転可能な状態となる。
【００２４】
図３に示す状態からカバー部品４０を時計回りの向きに９０度回転させることによって、電線２０の向きは左向きから上向きへ変更される。図３に示す状態からカバー部品４０を反時計回りの向きに９０度回転させることによって、電線２０の向きは左向きから下向きへ変更される。図３に示す状態からカバー部品４０を時計回りの向きまたは反時計回りの向きに１８０度回転させることによって、電線２０の向きは左向きから右向きへ変更される。ここで、時計回りの向きおよび反時計回りの向きとは、取付面１１に対向する位置から見たときの向きとする。カバー部品４０のうち取付面１１に垂直な面の１つである面４５に配線孔４１が設けられていることから、カバー部品４０の回転により、取付面１１に平行な方向において電線２０の向きを変更することができる。
【００２５】
図３に示す状態からカバー部品４０を９０度回転させたときと、カバー部品４０を１８０度回転させたときとにおいて、カバー部品４０の各孔４４の位置が、取付面１１においてねじ７０が締め込まれる孔の位置と一致する。したがって、カバー部品４０は、電線２０の向きが左向きであるときと、電線２０の向きが上向きであるときと、電線２０の向きが下向きであるときと、電線２０の向きが右向きであるときとの各状態にて、取付面１１に固定可能とされている。このように、実施の形態１では、カバー部品４０は、４つの異なる向きで取り付け可能とされている。なお、図４には、電線２０の向きが右向きとされてカバー部品４０が固定されている状態を示している。
【００２６】
各電線２１の長さは、押さえ板３０の位置と電線２１が接続されている電気部品の位置との間の長さよりも長い。このように各電線２１の長さが確保されていることによって、カバー部品４０を取付面１１とは離隔させた状態にて、カバー部品４０を回転させることができる。カバー部品４０と取付面１１とを接触させずにカバー部品４０を回転させることができるため、互いに接触することによるカバー部品４０と取付面１１とにおける傷付きを低減できる。
【００２７】
電力変換装置１は、電線２０の向きを適宜変更可能であることから、電力変換装置１から見てどの方向の側に障害物がある場合であっても、障害物を回避して電線２０を容易に配置することが可能となる。また、電力変換装置１は、電力変換装置１から見てどの方向の側に外部機器側のコネクタがある場合であっても、外部機器側のコネクタへ電線２０を向かわせるように電線２０を容易に配置することが可能となる。
【００２８】
筐体１０から電線２０が引き出される方向が任意に選択可能であることで、電線２０が引き出される位置を異ならせた電力変換装置１の製品ラインアップがなくても、設置場所の状況あるいは外部機器の位置に合わせて任意の方向へ電線２０を引き出して電力変換装置１を使用することができる。電力変換装置１は、任意の方向へ電線２０を引き出し可能であることで、設置のための制約の緩和が可能となる。
【００２９】
電力変換装置１は、設置場所の状況あるいは外部機器の位置に合わせて電線２０を引き出す方向を変更可能とすることで、障害物を避けるため、あるいは外部機器側のコネクタへ電線２０を接続するための電線２０の引き回しが少なくなる。電力変換装置１は、電線２０の引き回しが少なくなることで、外部機器へ電線２０を接続する際の作業負担の低減が可能となる。電力変換装置１は、電線２０の引き回しが少なくなることで、電力変換装置１の設置場所の周囲において電線２０が障害となる事態を回避することもできる。
【００３０】
電力変換装置１は、電線２０の引き回しが少なくなることで、電線２０の余剰長さを少なくできるため、電線２０の長さを短くすることが可能となる。また、電力変換装置１は、電線２０の長さが不足する事態を低減できる。なお、カバー部品４０は、４つの異なる向きで取り付け可能とされているものに限られない。カバー部品４０は、複数の異なる向きでの取り付けが可能であれば良く、３つあるいは２つの異なる向きでの取り付けが可能とされていても良い。
【００３１】
実施の形態１によると、電力変換装置１は、筐体１０の外部に着脱可能に取り付けられて開口１２を覆うカバー部品４０と、カバー部品４０の内部にて電線２０を固定する押さえ板３０とを有する。カバー部品４０は、２以上の異なる向きで取り付け可能である。電力変換装置１では、押さえ板３０によって電線２０が押さえ付けられている位置を中心にカバー部品４０が回転可能であることによって、電線２０が引き出される向きを容易に変えることができる。これにより、電力変換装置１は、外部機器への電線２０の接続の際における作業負担の低減が可能となり、かつ電線２０の長さを短くすることができるという効果を奏する。
【００３２】
実施の形態２．
図６は、本発明の実施の形態２にかかる電力変換装置が有する電線引き出し構造を示す平面図である。図７は、図６に示すVII−VII線における断面を示す図である。図８は、図７に示すVIII−VIII線における断面を示す図である。実施の形態２において、電力変換装置１が有する電線引き出し構造には、図１に示す押さえ板３０に代えて、押さえ板３０と同様の板ばね部分を有する止め板８０が備えられている。実施の形態２では、上記の実施の形態１と同一の構成要素には同一の符号を付し、実施の形態１とは異なる構成について主に説明する。
【００３３】
止め板８０は、カバー部品４０の内部にて電線２０を固定する固定部品である。止め板８０のうちの板ばね部分は、台座４２に取り付けられている。板ばね部分には、ねじ６０が通される孔３１が設けられている。カバー部品４０と台座４２と止め板８０とは、筐体１０から電線２０が引き出された部分に設けられている電線引き出し構造を構成する。
【００３４】
止め板８０は、板ばね部分の両端から筐体１０の内部へ向けて立てられた部分である壁部８２と、壁部８２から折り曲げられて延ばされた部分である曲げ部８１とを有する。曲げ部８１は、止め板８０の両端部に設けられている。板ばね部分が台座４２に取り付けられている状態において、曲げ部８１は、筐体１０のうち取付面１１とは逆側の面である内面と向かい合わせられている。止め板８０は、開口１２を通じてカバー部品４０の内部と筐体１０の内部とに壁部８２を跨らせて配置されている。
【００３５】
筐体１０にカバー部品４０が固定されている状態から全てのねじ７０が緩められることによって、カバー部品４０は、筐体１０との固定が解除される。筐体１０へのカバー部品４０の固定が解除されても、筐体１０の内面に曲げ部８１が掛かるため、筐体１０から取付面１１に垂直な方向へのカバー部品４０の引き離しが阻止される。取付面１１に平行な方向へカバー部品４０を動かした場合、壁部８２が開口１２の外縁に当たる。このため、取付面１１に平行な方向におけるカバー部品４０の動きは、開口１２の範囲内に制約される。カバー部品４０は、筐体１０への固定が解除されている状態において、板ばね部分によって電線２０が押さえ付けられている位置を中心とする回転は可能である。
【００３６】
各電線２１の長さは、押さえ板３０の位置と電線２１が接続されている電気部品の位置との間の長さよりも長い。各電線２１の長さは、カバー部品４０の回転によって電線２１の束がねじられたときに過度に引っ張られることが無い長さである。なお、各電線２１の引っ張りがないときにおけるカバー部品４０の状態を基準状態とした場合に、カバー部品４０は、基準状態から時計回りの方向への１８０度の回転と、基準状態から反時計回りの方向への１８０度の回転とが可能であれば、電力変換装置１は、任意の方向へ電線２０を引き出すことが可能となる。基準状態とは、例えば電線２１の束にねじれが無い状態である。各電線２１の長さが、カバー部品４０を基準状態から１８０度回転させても各電線２１が過度に引っ張られることが無いように設定されることによって、電力変換装置１は、電線２０を引き出す方向を変更させることにより各電線２１が過度なストレスを受けることを防止できる。
【００３７】
実施の形態２では、カバー部品４０に止め板８０が取り付けられていることによって、筐体１０へのカバー部品４０の固定が解除されている状態において回転以外のカバー部品４０の動きが制約される。電力変換装置１は、止め板８０が設けられていることで、電線２０の向きを変えるためのカバー部品４０の回転を可能としながら、カバー部品４０の回転によって引っ張りによるダメージを各電線２１が受ける事態を低減できる。
【００３８】
実施の形態３．
図９は、本発明の実施の形態３にかかる電力変換装置が有する電線引き出し構造を示す平面図である。図１０は、図９に示すX−X線における断面を示す図である。図１１は、図１０に示すXI−XI線における断面を示す図である。実施の形態３にかかる電力変換装置１は、カバー部品４０の過度な回転を抑制するための回転止め１００を有する。実施の形態３では、上記の実施の形態１および２と同一の構成要素には同一の符号を付し、実施の形態１および２とは異なる構成について主に説明する。
【００３９】
回転止め１００は、筐体１０の内面のうち開口１２の周辺の１箇所に立てられている。回転止め１００は、カバー部品４０のうち電線２０が固定されている位置を中心にカバー部品４０を回転させた場合に曲げ部８１のうちの切り欠き８３が到達可能な位置に設けられている。切り欠き８３は、曲げ部８１の端部に設けられている。切り欠き８３は、回転止め１００の形状に合わせて切り欠かれた形状を呈する部分である。切り欠き８３は、２つの曲げ部８１の各々に設けられている。
【００４０】
図９には、カバー部品４０が基準状態であるときの電線引き出し構造の例を示している。基準状態において、２つの切り欠き８３のうちの一方が回転止め１００に当てられている。図９に示す例の場合、基準状態から反時計回りの方向へのカバー部品４０の回転が回転止め１００によって抑制されている。また、基準状態から時計回りの方向へ１８０度カバー部品４０を回転させたときに、２つの切り欠き８３のうちの他方が回転止め１００に当たる。これにより、基準状態から時計回りの方向へ１８０度回転させた状態よりもさらに時計回りの方向へのカバー部品４０の回転が抑制される。
【００４１】
一方の切り欠き８３のうち回転止め１００に当てられる面と、他方の切り欠き８３のうち回転止め１００に当てられる面と、カバー部品４０とともに回転する止め板８０の回転中心とは、一直線上にある。これにより、基準状態から時計回りの方向へ１８０度のカバー部品４０の回転が可能とされている。
【００４２】
このように、実施の形態３では、カバー部品４０が回転可能な角度範囲は、図９に示す基準状態から時計回りの方向へ１８０度の範囲に制約されている。電力変換装置１は、回転止め１００が設けられることによって、カバー部品４０の過度な回転を抑制することができる。
【００４３】
各電線２１の長さは、押さえ板３０の位置と電線２１が接続されている電気部品の位置との間の長さよりも長い。各電線２１の長さは、カバー部品４０を基準状態から１８０度回転させても各電線２１が過度に引っ張られることが無いように設定されている。実施の形態３では、電力変換装置１は、回転止め１００が設けられていることによって、基準状態から１８０度を超えるカバー部品４０の回転が抑制されている。これにより、電力変換装置１は、電線２０の向きを変えるためのカバー部品４０の回転を可能としながら、カバー部品４０の回転によって引っ張りによるダメージを各電線２１が受ける事態を低減できる。
【００４４】
実施の形態４．
図１２は、本発明の実施の形態４にかかる電力変換装置が有する電線引き出し構造を示す平面図である。図１３は、図１２に示すXIII−XIII線における断面を示す図である。図１４は、図１３に示すXIV−XIV線における断面を示す図である。実施の形態４にかかる電力変換装置１は、カバー部品４０の回転に伴ってカバー部品４０を筐体１０へ引き寄せるための突起部１１０を有する。実施の形態４では、上記の実施の形態１から３と同一の構成要素には同一の符号を付し、実施の形態１から３とは異なる構成について主に説明する。
【００４５】
突起部１１０は、止め板８０の回転方向における回転止め１００の両隣に設けられている。回転止め１００と隣接する２つの突起部１１０の各々は、回転止め１００に近づくにつれて高くなる傾斜面を有する。また、一方の切り欠き８３が回転止め１００に当てられている状態における他方の切り欠き８３の到達位置にも突起部１１０が設けられている。かかる到達位置と隣接する２つの突起部１１０の各々には、到達位置に近づくにつれて高くなる傾斜面を有する。ここでは、筐体１０のうち取付面１１とは逆側の内面から筐体１０内部の中心側へ向かう方向を高さ方向とする。
【００４６】
図１２に示す基準状態よりもカバー部品４０を時計回りの向きに回転させた状態からカバー部品４０を反時計回りの向きに回転させると、一方の曲げ部８１の切り欠き８３が回転止め１００に到達するよりも前に、当該曲げ部８１が１つの突起部１１０の傾斜面に接触する。また、他方の曲げ部８１も、当該突起部１１０から回転方向へ１８０度の位置にある他の突起部１１０の傾斜面に接触する。当該曲げ部８１の切り欠き８３が回転止め１００に到達するまでカバー部品４０を回転させると、突起部１１０のうち内面よりも高い位置に双方の曲げ部８１が到達する。このように、止め板８０が筐体１０内部の中心側へ引き寄せられることに伴って、カバー部品４０は、筐体１０へ引き寄せられる。
【００４７】
基準状態からカバー部品４０を時計回りに回転させることによって他方の曲げ部８１の切り欠き８３が回転止め１００に到達する場合も同様に、突起部１１０の傾斜面に曲げ部８１が接触する。当該他方の曲げ部８１の切り欠き８３が回転止め１００に到達するまでカバー部品４０を回転させると、突起部１１０のうち内面よりも高い位置に双方の曲げ部８１が到達する。このように、止め板８０が筐体１０内部の中心側へ引き寄せられることに伴って、カバー部品４０は、筐体１０へ引き寄せられる。
【００４８】
実施の形態４では、カバー部品４０を基準状態とさせるときと、カバー部品４０を基準状態から１８０度回転させた状態とさせるときとにおいて、カバー部品４０が筐体１０へ引き寄せられる。カバー部品４０が筐体１０へ引き寄せられることによって、取付面１１とフランジ４３との間隙が小さくなる。取付面１１へカバー部品４０が取り付けられる際に、取付面１１とフランジ４３との間隙が小さくなることによって、カバー部品４０においてねじ７０が通される孔４４と、筐体１０においてねじ７０が締め込まれる孔との位置合わせが容易となる。これにより、電力変換装置１は、筐体１０へのカバー部品４０の取り付けを容易に行うことが可能となる。
【００４９】
なお、実施の形態２から４では、電力変換装置１は、止め板８０が用いられることによって、カバー部品４０を取付面１１に密着させることが可能である。カバー部品４０は、ねじ７０を用いず、止め板８０を用いて筐体１０に固定されることとしても良い。また、止め板８０は、板ばね部分の部品と、曲げ部８１および壁部８２である部品とが組み合わせられたものであっても良い。止め板８０のうち板ばね部分が、曲げ部８１および壁部８２とは別の部品であることによって、曲げ部８１および壁部８２を配置する作業とは別に板ばね部分を取り付ける作業を行うことが可能となる。これにより、電力引き出し構造の組み立て作業における自由度を向上できる。
【００５０】
実施の形態５．
図１５は、本発明の実施の形態５にかかる電力変換装置のうち電力引き出し構造が設けられている部分を示す断面図である。実施の形態５にかかる電力変換装置１は、カバー部品４０を筐体１０へ引き寄せる弾性体であるばね１２０を有する。実施の形態５では、上記の実施の形態１から４と同一の構成要素には同一の符号を付し、実施の形態１から４とは異なる構成について主に説明する。
【００５１】
ばね１２０のうち一方の端は、筐体１０の内面に取り付けられている構造物１２１につながれている。ばね１２０のうち他方の端は、カバー部品４０の内部に設けられている押さえ板３０につながれている。このように、ばね１２０は、筐体１０の内部から開口１２を通されてカバー部品４０の内部につながれている。
【００５２】
実施の形態５では、カバー部品４０は、ばね１２０によって筐体１０へ引き寄せられている。カバー部品４０が筐体１０へ引き寄せられることによって、取付面１１とフランジ４３との間隙が小さくなる。取付面１１へカバー部品４０が取り付けられる際に、取付面１１とフランジ４３との間隙が小さくなることによって、カバー部品４０においてねじ７０が通される孔４４と、筐体１０においてねじ７０が締め込まれる孔との位置合わせが容易となる。これにより、電力変換装置１は、筐体１０へのカバー部品４０の取り付けを容易に行うことが可能となる。
【００５３】
なお、実施の形態５では、電力変換装置１は、ばね１２０によってカバー部品４０を取付面１１に密着させることが可能である。カバー部品４０は、ねじ７０を用いず、ばね１２０を用いて筐体１０に固定されることとしても良い。
【００５４】
実施の形態６．
図１６は、本発明の実施の形態６にかかる電力変換装置のうち電力引き出し構造が設けられている部分を示す断面図である。実施の形態６では、押さえ板３０によって台座４２に押さえ付けられている部分よりも電気部品の側における電線２１の長さが、ループをなすことが可能な長さである。実施の形態６では、上記の実施の形態１から５と同一の構成要素には同一の符号を付し、実施の形態１から５とは異なる構成について主に説明する。
【００５５】
図１６では、実施の形態１と同様の構成において電線２１がループをなしている状態を示している。各電線２１には、電線２１を製造するメーカーによって推奨される許容曲げ半径が設定されている。各電線２１の長さは、電線２１に設定されている許容曲げ半径よりも大きいループをなすことが可能な長さである。
【００５６】
実施の形態６では、電線２１がループをなすことによって、筐体１０からカバー部品４０を取り外す際とカバー部品４０を回転させる際とにおいて、電線２１の引き延ばしあるいは電線２１の畳み込みを滑らかにすることが可能となる。これにより、電力変換装置１は、各電線２１が受けるダメージを低減できる。電力変換装置１は、電気部品から電線２１が引っ張られる事態を低減できることによって、断線などの不具合を低減できる。
【００５７】
実施の形態２から５の構成においても、実施の形態６と同様に、電線２１がループをなしても良い。これにより、実施の形態２から５においても、電力変換装置１は、各電線２１が受けるダメージの低減と、断線などの不具合の低減とが可能となる。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１  電力変換装置、１０  筐体、１１  取付面、１２  開口、２０，２１  電線、２２  コネクタ、３０  押さえ板、３１，４４  孔、４０  カバー部品、４１  配線孔、４２  台座、４３  フランジ、４５  面、５０  ブッシュ、６０，７０  ねじ、８０  止め板、８１  曲げ部、８２  壁部、８３  切り欠き、１００  回転止め、１１０  突起部、１２０  ばね、１２１  構造物。
【要約】
電力変換装置は、電気部品に接続されている電線（２０，２１）と、電気部品を収容し、電線（２０）が引き出される開口（１２）が設けられている筐体（１０）と、電線（２０）が通される配線孔（４１）が設けられており、筐体（１０）の外部に着脱可能に取り付けられて開口（１２）の周囲を覆うカバー部品（４０）と、カバー部品（４０）の内部にて電線（２０）を固定する固定部品である押さえ板（３０）と、を備える。カバー部品（４０）は、２以上の異なる向きで取り付け可能である。【図１】
0006656489.tif 000002
【図２】
0006656489.tif 000003
【図３】
0006656489.tif 000004
【図４】
0006656489.tif 000005
【図５】
0006656489.tif 000006
【図６】
0006656489.tif 000007
【図７】
0006656489.tif 000008
【図８】
0006656489.tif 000009
【図９】
0006656489.tif 000010
【図１０】
0006656489.tif 000011
【図１１】
0006656489.tif 000012
【図１２】
0006656489.tif 000013
【図１３】
0006656489.tif 000014
【図１４】
0006656489.tif 000015
【図１５】
0006656489.tif 000016
【図１６】
0006656489.tif 000017